(57)【要約】【課題】発光部を任意の位置に配置することができ、配置自由度が高くデザイン性が優れた照明装置を提供する。【解決手段】有機ＥＬ素子を光源とする平板形状の発光部と、発光部を着脱可能に装着する略矩形状のベース部とを有する。ベース部は、その長手方向に沿って配され発光部に電力を供給するレール状の給電レールと、発光部を支持する支持部とを有する。発光部は、発光パネルと、発光パネルの点灯を制御する制御回路部と、給電レールと制御回路部とを電気的に接続する導電性の接続端子を有する。発光部はベース部の長手方向に沿って複数配置され、接続端子は給電レールのレール状の任意の位置で接続される。【選択図】図１
2014056725.tif 000002
【特許請求の範囲】
【請求項１】
有機ＥＬ素子を光源とする平板形状の発光部と、
前記発光部を着脱可能に装着する略矩形状のベース部と、
を備え、
前記ベース部は、
その長手方向に沿って配され前記発光部に電力を供給するレール状の給電レールと、
前記発光部を支持する支持部と、
を有し、
前記発光部は、
発光パネルと、
前記発光パネルの点灯を制御する制御回路部と、
前記給電レールと前記制御回路部とを電気的に接続する導電性の接続端子と、
を有し、
前記発光部は前記ベース部の長手方向に沿って複数配置され、
前記接続端子は前記給電レールの前記レール状の任意の位置で接続される、
照明装置。
【請求項２】
前記ベース部は前記長手方向に伸びる一対の辺を有し、
前記支持部は保持部と係合部とを有し、
前記保持部は前記一対の辺のうちの一辺に連続的または非連続的に設けられ、
前記係合部は前記一対の辺のうちの他の一辺において連続的または非連続的に設けられ、
前記発光部は前記係合部に係合される被係合部と前記保持部に保持される被保持部を有し、
前記被係合部は前記他の一辺において、前記長手方向と略垂直方向に弾性付勢することによって前記係合部に係合される、
請求項１に記載の照明装置。
【請求項３】
前記保持部と前記係合部とは前記長手方向に伸びる前記ベース部の中心線に対して非対称な形状をそれぞれ有する、
請求項２に記載の照明装置。
【請求項４】
前記ベース部は前記長手方向において前記発光部の整数倍の長さを有する、
請求項２に記載の照明装置。
【請求項５】
前記発光部は給電コネクタをさらに有し、
前記給電コネクタは、
陽極端子と陰極端子とを含む前記接続端子と、
前記給電レールの一部を挟持する複数の挟持部と、
を有し、
前記複数の挟持部が前記給電レールを挟持し、かつ前記接続端子が前記給電レールと接続されることによって前記発光部は前記ベース部に装着される、
請求項１に記載の照明装置。
【請求項６】
前記給電レールは、
陽極端子レールと、
陰極端子レールと、
前記陽極端子レールと前記陰極端子レールとを収容する絶縁部材から成るカバーレールと、
を有し、
前記カバーレールは複数の溝部を有し、前記陽極端子レールと前記陰極端子レールとは前記複数の溝部にそれぞれ互いに絶縁されて収容され、
前記複数の挟持部は前記陽極端子レールと前記陰極端子レールとが収容された前記カバーレールを挟持する、
請求項５に記載の照明装置。
【請求項７】
前記給電レールは、
陽極端子レールと、
陰極端子レールと、
前記陽極端子レールと前記陰極端子レールとを収容する絶縁部材から成るカバーレールとを有し、
前記カバーレールは複数の溝部を有し、前記陽極端子レールと前記陰極端子レールとは前記複数の溝部にそれぞれ絶縁されて収容され、
前記複数の挟持部は前記陽極端子レールと前記陰極端子レールとをそれぞれ挟持する、
請求項５に記載の照明装置。
【請求項８】
前記複数の挟持部は導体から成る、
請求項７に記載の照明装置。
【請求項９】
前記陽極端子レールと前記陰極端子レールとは導体の板ばねを折り曲げて形成され、前記板ばねは前記溝部の深さ方向に複数の切り込み部をそれぞれ有する、
請求項６または請求項７に記載の照明装置。
【請求項１０】
前記複数の切り込み部は所定の間隔に形成され、
前記接続端子の前記陽極端子レールまたは前記陰極端子レールと接触する面の幅は前記所定の間隔の整数倍の幅である、
請求項９に記載の照明装置。
【請求項１１】
前記複数の挟持部は前記給電レールの長手方向と直交する方向において、前記給電レールの底部に近いほどその幅が小さくなるように形成された、
請求項６または請求項７に記載の照明装置。
【請求項１２】
前記給電レールは前記制御回路部に制御信号を伝達する通信配線をさらに有する、
請求項１に記載の照明装置。
【請求項１３】
複数の照明装置が連結された照明装置ユニットであり、
前記照明装置は請求項１から請求項１１のいずれか１つに記載の照明装置である、
照明装置ユニット。
【発明の詳細な説明】
【技術分野】
【０００１】
本発明は有機ＥＬ素子を光源とする照明装置に関する。
【背景技術】
【０００２】
有機ＥＬ素子は、低電圧で高輝度の発光が可能であり、含有する有機化合物の種類によって様々な発光色が得られ、かつ平板状の発光パネルとしての製造が容易である。そのため、近年、有機ＥＬ素子を照明装置の光源として用いることが注目されている。
【０００３】
この種の照明装置として、有機ＥＬ素子を光源とする発光部と、この発光部を保持するベース部と、このベース部に固定され発光部への給電に用いられる電極と、を備えたものがある（例えば、特許文献１参照）。
【先行技術文献】
【特許文献】
【０００４】
【特許文献１】特開２０１２−１０４５０４号公報
【発明の概要】
【発明が解決しようとする課題】
【０００５】
しかしながら、上述したような照明装置は電極がベース部に固定されているので、発光部の配置位置が限定されて発光部を配置できる位置の自由度が低い。
【０００６】
本発明は、上記課題を解決するものであって、有機ＥＬ素子を光源とする発光部を備えた照明装置において、発光部の配置自由度が高く、デザイン性に優れた照明装置を提供することを目的とする。
【課題を解決するための手段】
【０００７】
上記課題を解決するため、本発明の照明装置は、有機ＥＬ素子を光源とする平板形状の発光部と、発光部を着脱可能に装着する略矩形状のベース部とを有する。ベース部は、その長手方向に沿って配され発光部に電力を供給するレール状の給電レールと、発光部を支持する支持部とを有する。発光部は、発光パネルと、発光パネルの点灯を制御する制御回路部と、給電レールと制御回路部とを電気的に接続する導電性の接続端子とを有する。発光部はベース部の長手方向に沿って複数配置され、接続端子は給電レールのレール状の任意の位置で接続される。
【０００８】
上記の照明装置において、ベース部は長手方向に伸びる一対の辺を有し、支持部は保持部と係合部とを有し、保持部は前記一対の辺のうちの一辺に連続的または被連続的に設けられていることが好ましい。さらに係合部は一対の辺のうちの他の一辺において連続的または非連続的に設けられ、発光部は係合部に係合される被係合部と前記保持部に保持される被保持部を有し、被係合部は他の一辺において、長手方向と略垂直方向に弾性付勢することによって係合部に係合されることが好ましい。
【０００９】
また、上記の照明装置において、保持部と係合部とは長手方向に伸びるベース部の中心線に対して非対称な形状をそれぞれ有することが好ましい。
【００１０】
また、上記の照明装置において、ベース部は長手方向において発光部の整数倍の長さを有することが好ましい。
【００１１】
また、上記の照明装置において、発光部は給電コネクタをさらに有し、給電コネクタは、陽極端子と陰極端子とを含む接続端子と、給電レールの一部を挟持する対の挟持部と、を有し、対の挟持部が給電レールを挟持し、かつ接続端子が給電レールと接続されることによって発光部はベース部に装着されることが好ましい。
【００１２】
また、上記の照明装置において、給電レールは、陽極端子レールと、陰極端子レールと、陽極端子レールと陰極端子レールとを収容する絶縁部材から成るカバーレールと、を有し、カバーレールは複数の溝部を有し、陽極端子レールと陰極端子レールとは複数の溝部にそれぞれ互いに絶縁されて収容され、対の挟持部は陽極端子レールと陰極端子レールとが収容された前記カバーレールを挟持することが好ましい。
【００１３】
また、上記の照明装置において、給電レールは、陽極端子レールと、陰極端子レールと、陽極端子レールと前記陰極端子レールとを収容する絶縁部材から成るカバーレールとを有することが好ましい。
【００１４】
また、上記の照明装置において、カバーレールは複数の溝部を有し、陽極端子レールと陰極端子レールとは複数の溝部にそれぞれ絶縁されて収容され、対の挟持部は陽極端子レールと陰極端子レールとをそれぞれ挟持することが好ましい。
【００１５】
また、上記の照明装置において、対の挟持部は導体から成ることが好ましい。
【００１６】
また、上記の照明装置において、陽極端子レールと陰極端子レールとは導体の板ばねを折り曲げて形成され、板ばねは溝部の深さ方向に複数の切り込み部をそれぞれ有することが好ましい。
【００１７】
また、上記の照明装置において、複数の切り込み部は所定の間隔に形成され、接続端子の前記陽極端子レールまたは陰極端子レールと接触する面の幅は所定の間隔の整数倍の幅であることが好ましい。
【００１８】
また、上記の照明装置において、複数対の挟持部は給電レールの長手方向と直交する方向において、給電レールの底部に近いほどその幅が小さくなるように形成されることが好ましい。
【００１９】
また、上記の照明装置において、給電レールは制御回路部に制御信号を伝達する通信配線をさらに有することが好ましい。
【００２０】
また、上記の照明装置を複数連結した照明装置ユニットとして用いることが好ましい。
【発明の効果】
【００２１】
本発明によれば、ベース部の任意の位置に発光部を配置することができるため配置自由度が高くデザイン性が優れた照明装置を提供することができる。
【図面の簡単な説明】
【００２２】
【図１】実施の形態１に係る照明装置の分解斜視図である。
【図２】実施の形態１に係る照明装置において発光部がベース部に装着された状態の斜視図である。
【図３】実施の形態１に係る照明装置の発光部の装着面を上面とした斜視図である。
【図４】実施の形態１に係る照明装置の発光部をベース部に装着する仕組みを表した模式図である。
【図５】実施の形態１に係る照明装置の給電コネクタの拡大模式図である。
【図６】実施の形態１に係る照明装置の給電コネクタと給電レールとの接続箇所の拡大模式図である。
【図７】実施の形態１に係る照明装置の給電レールと給電コネクタとの接続状態を表す平面視の模式図である。
【図８】図７の線Ｂ−Ｂにおける断面において給電コネクタが給電レールに接続される状態の模式図である。
【図９】点灯回路と実施の形態１に係る照明装置との回路の模式図である。
【図１０】実施の形態２に係る照明装置の給電コネクタと給電レールとの接続箇所の拡大模式図である。
【図１１】実施の形態２に係る照明装置の給電レールと給電コネクタとの接続状態を表す平面視の模式図である。
【図１２】図１１の線Ｃ−Ｃにおける断面模式図である。
【図１３】実施の形態３の照明装置の陽極端子レールと陽極端子、挟持部との接続を表す斜視図である。
【発明を実施するための形態】
【００２３】
（実施の形態１）
以下に、実施の形態１に係る照明装置について図面を用いて説明する。図１は実施の形態１に係る照明装置１０の分解斜視図である。図２は実施の形態１に係る照明装置１０において発光部１がベース部２に装着された状態の斜視図である。図１示されるように、照明装置１０は有機ＥＬ素子を光源とする平板形状の発光部１と、発光部１を着脱可能に装着する略矩形状のベース部２を有する。ベース部２は発光部１に電力を供給するレール状の給電レール３と、給電レール３と外部からの電力線を接続するＤＣ線端子台７と、発光部１を支持する支持部２０を有する。ベース部２は長手方向に伸びる一対の辺を有し、支持部２０はこの一対の辺において発光部１を保持する保持部２１と係合部２２を有する。
【００２４】
なお、図１に示すように、実施の形態１において発光部１の形状は矩形状であるが、正方形やその他の形状であってもよい。
【００２５】
図３は実施の形態１に係る照明装置１０の発光部１の装着面１２を上面とした斜視図である。発光部１は発光パネル１１と、発光パネル１１の点灯を制御する制御回路部１６と、給電レール３と制御回路部１６とを電気的に接続する給電コネクタ１３と、保持部２１に保持される被保持部１４と、係合部２２と係合する被係合部１５とを有する。
【００２６】
発光部１は、図２に示すように、発光パネル１１が上面となるように被保持部１４と被係合部１５が、保持部２１と係合部２２とにそれぞれ係止されることによってベース部２に装着され、給電レール３と電気的に接続される。
【００２７】
発光パネル１１は有機ＥＬ素子を光源として、その発光面側から順に、透光性基板と、発光部と、発光部を封止する封止缶とを有する。発光部は、例えば、透光性基板側から順に、透明導電膜から成る正電極と、発光性有機材料を含む発光層と、光反射性を有する負電極とを有する。封止缶は、発光部を外気、特に、水分及び酸素から隔離して発光部の劣化を防いでいる。
【００２８】
制御回路部１６は発光部１への給電や発光パネル１１の点灯を制御する。給電レール３はベース部２の、発光部１の装着面１２と対向する面において、その長手方向に沿って中央に設けられ、給電コネクタ１３を介して制御回路部１６へ制御信号および電流を伝達する。制御信号の伝達方法としては直流電流の高周波の搬送波に信号を重畳する、いわゆる電力線搬送通信によって伝達してもよく、あるいは給電レール３に信号を伝達するための通信配線を設けてもよい。なお、給電レール３の設置位置はベース部２の中央に限られず
、装着面１２と対向する面上の他の位置でもよく、また例えばベース部２の長手方向に伸びる辺の端部に設けられてもよい。
【００２９】
ＤＣ線端子台７はベース部２の長手方向の端部に取り付け可能に構成され、外部電源と給電レール３とを電気的に接続する。ＤＣ線端子台７を介しての外部電源と照明装置１０との電気的な接続回路については後述する。図２において、ＤＣ線端子台７はベース部２の長手方向の片方にのみ取り付けられているが、例えば複数のベース部２を連結させる際には、ベース部２の長手方向の両端においてＤＣ線端子台７を取り付け可能としておくことが好ましい。このようにすることで、ＤＣ線端子台７によって隣り合うベース部２を電気的に接続することが可能となり、外部電源から直流電源を取り出すポイントを少なくすることができる。
【００３０】
図４は実施の形態１に係る照明装置１０の発光部１をベース部２に装着する仕組みを表した模式図である。図４は、例えば、天井にベース部２が配置されている場合に、下方から発光部１をベース部２に取り付ける際に、ベース部２の長手方向から見た状態に対応する。
【００３１】
ベース部２はその略矩形状の縁において、長手方向に互いに対向して伸びる一対の辺を有し、保持部２１は一対の辺のうちの一辺に連続的または非連続的に設けられていることが好ましい。係合部２２は一対の辺のうちの他の一辺において連続的または非連続的に設けられていることが好ましい。実施の形態１においては保持部２１と係合部２２はベース部２の長手方向の両端部に位置する一対の辺において連続的に設けられている。保持部２１と係合部２２は、ベース部２の長手方向の中心線に対して非対称な形状に形成されている。これによって、発光部１をベース部２へ取り付ける際に、保持部２１と被保持部１４、または係合部２２と被係合部１５との組み合わせを間違わずに取り付けることができる。
【００３２】
保持部２１はベース部２の内側方向に突出する凸部２１ａと、この凸部２１ａと底面との間に形成される凹部２１ｂを有する。発光部１の被保持部１４は、ベース部２の保持部２１が設けられた辺と接する発光部１の辺に少なくとも１つ設けられ、装着面１２から立ち上がって発光部１の外側方向へ突出する爪１４ａを有する。爪１４ａは凹部２１ｂに嵌るように形成される。
【００３３】
係合部２２は、ベース部２の保持部２１が設けられた辺と対向する辺において、保持部２１と同様に内側方向に突出する凸部２２ａと、この凸部２２ａと底面との間に形成される凹部２２ｂを有する。発光部１の被係合部１５は、ベース部２の係合部２２が設けられた辺と接する発光部１の辺に少なくとも１つ設けられ、装着面１２から立ち上がって発光部１の外側方向へ突出する弾性爪１５ａを有する。弾性爪１５ａは発光部１の装着面１２上に固定された固定台１５ｃとバネ１５ｂによって、被係合部１５が設けられた辺の延在方向とは垂直な方向に摺動可能に設けられている。ベース部２の保持部２１から係合部２２までの幅は、バネ１５ｂが縮んでいない自然状態での発光部１の被保持部１４の先端から被係合部１５の先端までの幅よりもやや小さくなるように構成される。
【００３４】
このような構成において、発光部１をベース部２に取り付ける取り付け方法について説明する。まず、ベース部２の保持部２１と発光部１の被保持部１４とが互いに近接するように、ベース部２に対して発光部１を斜めに入れ込む。そして発光部１の被保持部１４をベース部２の保持部２１に係止させる。このとき、爪１４ａを凸部２１ａと凹部２１ｂに係止させる。
【００３５】
次に、ベース部２の係合部２２と発光部１の被係合部１５とが互いに近接するように、
ベース部２に対して発光部１を斜めに入れ込む。弾性爪１５ａと凸部２２ａとはそれぞれ傾斜面を有する。発光部１からベース部２へ向かう方向の外力を加えることによって、それぞれの傾斜面が互いに接しながら、バネ１５ｂが縮むとともに弾性爪１５ａは固定台１５ｃの方向（図４の矢印Ａの方向）へスライドする。そして弾性爪１５ａの先端が凸部２２ａを乗り越え、凹部２２ｂに係止されることによって、発光部１がベース部２に装着される。弾性爪１５ａが凹部２２ｂに係止されている状態においては、弾性爪１５ａは凹部２２ｂに対してベース部２の長手方向と略垂直方向に弾性付勢している。以上のような方法によって、発光部１をベース部２に簡単に装着することができる。
【００３６】
また、発光部１をベース部２から取り外す場合には、器具などによって被係合部１５の弾性付勢された状態を解除することによって取り外すことができる。以上のような構成によって、実施の形態１の照明装置１０の発光部１は、発光部１をベース部２に簡単に装着、取り外しすることができ、発光部１の交換が容易な構成となっている。
【００３７】
図５は実施の形態１に係る照明装置１０の給電コネクタ１３の拡大模式図である。給電コネクタ１３は導体性の接続端子１７である陽極端子１７ａと陰極端子１７ｂと挟持部１９とを有する。挟持部１９は絶縁性部材で凸形状を有する。挟持部１９は給電コネクタ１３に複数形成され、陽極端子１７ａと陰極端子１７ｂとが給電レール３と電気的に接続する際に給電レール３と嵌合し、給電コネクタ１３と給電レール３との物理的な接続の信頼性を向上させる。
【００３８】
図５に示すように実施の形態１において、これらの接続端子１７と挟持部１９はそれぞれ同一方向に延びて形成される。互いに直交する方向Ｘ１、Ｘ２において、陽極端子１７ａと陰極端子１７ｂとは方向Ｘ１へ並設され、３つの挟持部１９が、方向Ｘ２において接続端子１７と互い違いになるように、方向Ｘ１へ３つずつ並設されている。発光部１がベース部２に装着される際には方向Ｘ２がベース部２の長手方向、すなわち、給電レール３の延在している方向となるように給電コネクタ１３が給電レール３に接続される。
【００３９】
次に給電コネクタ１３と給電レール３との接続の詳細について説明する。図６は実施の形態１に係る照明装置１０の給電コネクタ１３と給電レール３との接続箇所の拡大模式図である。給電レール３はベース部２の長手方向に延びる陽極端子レール３１ａと、陰極端子レール３１ｂと、陽極端子レール３１ａと陰極端子レール３１ｂとを収容する絶縁部材から成るカバーレール３３とを有する。カバーレール３３はベース部２の長手方向に延びる複数の溝部を有し、陽極端子レール３１ａと陰極端子レール３１ｂとは溝部にそれぞれ互いに絶縁されて収容されている。陽極端子レール３１ａと陰極端子レール３１ｂには銅箔板等の導電性金属板が用いられる。陽極端子レール３１ａと陰極端子レール３１ｂの一面の一部又は全部が、給電コネクタ１３に向けて露出しており、この露出部分が給電コネクタ１３との給電ポイントとなる。
【００４０】
発光部１がベース部２に装着される際には、図６に示すように給電コネクタ１３の接続端子１７と挟持部１９が、それぞれ陽極端子レール３１ａと陰極端子レール３１ｂとカバーレール３３のそれぞれの間に挿入されるように、給電コネクタ１３が発光部１に位置決めされている。
【００４１】
図７は実施の形態１に係る照明装置１０の給電レール３と給電コネクタ１３との接続状態を表す平面視の模式図である。図８は図７の線Ｂ−Ｂにおける断面において給電コネクタ１３が給電レール３に接続される状態の模式図である。陽極端子レール３１ａと陰極端子レール３１ｂとはそれぞれ導体を板バネ形状に折り曲げて形成され、カバーレール３３の溝部にそれぞれ配置される。
【００４２】
より具体的には、陽極端子レール３１ａと陰極端子レール３１ｂとは、板バネの折り曲げ部３５ａ、３５ｂがカバーレール３３の溝部の底側に配置され、折り曲げ部３５ａ、３５ｂから溝部の開口側に向かって伸びる両端が陽極端子１７ａと陰極端子１７ｂを弾性挟持する端子受け入れ部３４ａ、３４ｂとして形成される。
【００４３】
このような構成において、図８に示される矢印の方向に給電コネクタ１３を給電レール３に挿入する。この際に、陽極端子レール３１ａと陰極端子レール３１ｂとがそれぞれ設けられているカバーレールの溝部を複数の挟持部１９によって挟み込むようにし、かつ端子受け入れ部３４ａ、３４ｂが陽極端子１７ａと陰極端子１７ｂを挟み込むようにそれぞれ給電コネクタ１３と給電レール３を嵌め合わせる。
【００４４】
陽極端子レール３１ａは端子受け入れ部３４ａで弾性挟持することによって陽極端子１７ａと電気的に接続し、また陰極端子レール３１ｂは端子受け入れ部３４ｂで弾性挟持することによって陰極端子１７ｂと電気的に接続する。
【００４５】
陽極端子レール３１ａと陰極端子レール３１ｂとは陽極端子１７ａと陰極端子１７ｂとをそれぞれ弾性挟持することによって、その厚みが増す（図７の線Ｂ−Ｂの部分）。複数の挟持部１９は給電レール３の延在方向において接続端子１７の前後に設けられている。接続端子１７が陽極端子レール３１ａと陰極端子レール３１ｂとによって挟持されることで厚みが増して膨らんだ線Ｂ−Ｂの前後の箇所において挟持部１９がカバーレール３３を挟持する。
【００４６】
実施の形態１において、カバーレール３３は３つの溝部を有し、陽極端子レール３１ａと陰極端子レール３１ｂとはそれぞれ両端の溝部に配置されている。給電コネクタ１３が給電レール３と接続した際には、挟持部１９は中央の溝部とカバーレール３３の外側から両端の溝部をそれぞれ挟持するように給電コネクタ１３に設けられる。このような構成によって、給電コネクタ１３と給電レール３とがより確実に嵌合する。なお、挟持部１９は給電レール３の長手方向と直交する方向において、給電レール３の底部に近いほどその幅が小さくなるように形成してもよい。このようにすることで、より確実に給電コネクタ１３を給電レール３に嵌めることができる。
【００４７】
図９は点灯回路４０と実施の形態１に係る照明装置１０との回路の模式図である。ＤＣ線端子台７は点灯回路４０に接続されている。点灯回路４０は、商用電源ＡＣからの交流電流を直流電流に変換するＡＣ／ＤＣコンバータ４１と、直流電流の電圧を所望の電圧に変圧するＤＣ／ＤＣコンバータ４２と、変圧された直流電流の照明装置１０への供給を制御するドライバ４３と、を有する。これらＡＣ／ＤＣコンバータ４１、ＤＣ／ＤＣコンバータ４２及びドライバ４３は、照明装置１０が取り付けられる天井や壁に埋設される。
【００４８】
ドライバ４３から供給された直流電流は、ＤＣ線端子台７→給電レール３→エンドキャップ８の順で直列に通電される。エンドキャップ８は、ベース部２のＤＣ線端子台７の取り付け構造と同様に取り付けられる構成を有し、１つまたは複数の照明装置１０の長手方向における一端に取り付けられる。エンドキャップ８は、発光部１の給電コネクタ１３の陽極端子１７ａおよび陰極端子１７ｂを互いに電気的に接続する、または他の照明装置と接続するためにこれら陽極端子１７ａおよび陰極端子１７ｂの各々と接続された導体を導出する。導体は、例えばリード線や、陽極端子１７ａおよび陰極端子１７ｂと接続される部分以外が絶縁物により被覆された導電性金属板により構成される。実施の形態１においては、エンドキャップ８は、陽極端子レール３１ａと陰極端子レール３１ｂとを電気的に接続する。
【００４９】
以上の構成において、照明装置１０が建材に取り付けられる際には、まず任意の長さの
ベース部２を壁や天井などに実装する。なお、照明装置１０は複数の照明装置１０を電気的に連結し、照明装置ユニットとして構成することで、自由な配置が可能である。この場合、複数のベース部２を長手方向に連ねて電気的に接続すればよい。例えば、ＤＣ線端子台７によって隣り合うベース部２のそれぞれの給電レール３を電気的に直列に接続することができる。
【００５０】
このように壁や天井などにベース部２が設置された状態において、複数の発光部１を任意の位置に装着することができる。すなわち、給電レール３上であれば全ての点が電気的な接点に成り得るため、施工者は任意の位置に発光部１を容易に装着することが出来る。これによって、配置自由度が高くデザイン性が優れた照明装置１０を提供することができる。
【００５１】
なお、照明装置１０はその設置の方向も限定されず、壁や天井に対してどのような角度で配置してもよい。例えば、ベース部２はその長手方向が水平方向となるように設けられてもよく、また、長手方向が垂直方向となるように設けられても良い。特に壁に設ける際には、ベース部２の長手方向が水平方向となるように設けられた場合には、水平方向に沿って自由な配置が可能となる。
【００５２】
ベース部２の長手方向が鉛直方向となるように設けられた場合には、発光部１そのものの重みによって鉛直方向にずれる虞がある。しかしながら、実施の形態１の照明装置１０では給電コネクタ１３が給電レール３を複数の挟持部１９によって挟持しているため、発光部１がベース部２に対して鉛直方向にずれることを防ぐことができる。すなわち、陽極端子レール３１ａが陽極端子１７ａを、陰極端子レール３１ｂが陰極端子１７ｂをそれぞれ挟持することによって端子受け入れ部３４ａ、３４ｂの箇所が膨らみ、鉛直方向の両側において複数の挟持部１９がカバーレール３３を挟持することによって、発光部１が鉛直方向にずれることを防止することができる。このようにすることで、配置の自由度が高く、かつ発光部１とベース部２の接続の信頼性を向上させることができる。
【００５３】
発光部１を装着しない位置にはダミーとして簡易のケースなどを装着することで給電レール３が剥き出しの状態となるのを防ぐことができる。このようにすることで、見栄えもよく、また給電レール３を外部要因による破損などから保護することが出来る。
【００５４】
なお、ベース部２の長手方向の長さは、発光部１の装着時にベース部２の長手方向に沿う辺の長さの整数倍に形成されることが好ましい。このようにすることで、１つのベース部２に整数個の発光部１を装着することができるので施工の便利が良い。
【００５５】
（実施の形態２）
実施の形態２の照明装置１０について図面を用いて説明する。図１０は実施の形態２に係る照明装置１０の給電コネクタ１１３と給電レール３との接続箇所の拡大模式図である。実施の形態２の照明装置１０は、実施の形態１の照明装置１０とは給電コネクタ１３の代わりに給電コネクタ１１３を有する点で異なり、他の構成については同様である。
【００５６】
実施の形態２において、給電コネクタ１１３は接続端子１１７として陽極端子１１７ａと陰極端子１１７ｂと、複数の挟持部１１９とを有する。実施の形態１において給電コネクタ１３の挟持部１９はカバーレール３３を挟持する構成であったが、実施の形態２において給電コネクタ１１３の挟持部１１９は陽極端子レール３１ａまたは陰極端子レール３１ｂをそれぞれ挟持する構成である。例えば、図１０において２つの挟持部１１９ａは、陽極端子レール３１ａによって弾性挟持されている陽極端子１１７ａと給電レール３が延在している方向に並んで設けられ、カバーレール３３と陽極端子レール３１ａとの間に挿入された状態で陽極端子レール３１ａを挟持している。
【００５７】
図１１は実施の形態２に係る照明装置１０の給電レール３と給電コネクタ１１３との接続状態を表す平面視の模式図である。図１２は図１１の線Ｃ−Ｃにおける断面模式図である。陽極端子レール３１ａと陰極端子レール３１ｂとは陽極端子１１７ａと陰極端子１１７ｂとをそれぞれ弾性挟持することによって、その厚みが増す（図１１の線Ｃ−Ｃの部分）。複数の挟持部１１９は給電レール３の延在方向において接続端子１１７の前後に設けられている。接続端子１１７が陽極端子レール３１ａと陰極端子レール３１ｂとによって挟持されることで厚みが増して膨らんだ線Ｃ−Ｃの前後の箇所において挟持部１１９が陽極端子レール３１ａと陰極端子レール３１ｂとをそれぞれ挟持する。
【００５８】
このようにすることで、ベース部２の長手方向が鉛直方向となるように設けられた場合に、給電コネクタ１１３が給電レール３を複数の挟持部１１９によって挟持しているため、発光部１がベース部２に対して鉛直方向にずれることを防ぐことができる。すなわち、陽極端子レール３１ａが陽極端子１１７ａを、陰極端子レール３１ｂが陰極端子１１７ｂをそれぞれ挟持することによって端子受け入れ部３４ａ、３４ｂの箇所が膨らみ、鉛直方向の両側において複数の挟持部１１９が陽極端子レール３１ａと陰極端子レール３１ｂとのそれぞれを挟持することによって、発光部１が鉛直方向にずれることを防止することができる。このようにすることで、配置の自由度が高く、かつ発光部１とベース部２の接続の信頼性を向上させることができる。
【００５９】
なお、実施の形態２においては、複数の挟持部１１９は導体で形成してもよい。このようにすることで、発光部１とベース部２の構造面での接続の信頼性を向上させると共に、電気的接続の信頼性も向上させることができる。
【００６０】
なお、その他の実施の形態１の照明装置１０の構成を実施の形態２の照明装置１０に適用することによっても実施の形態１と同様の効果を得ることが出来る。
【００６１】
（実施の形態３）
実施の形態３の照明装置１０について図面を用いて説明する。図１３は実施の形態３の照明装置１０の陽極端子レール１３１ａと陽極端子１１７ａ、挟持部１１９との接続を表す斜視図である。なお以下の説明において、陰極端子レール１３１ｂと陰極端子１１７ｂ、挟持部１１９との接続については陽極と同様である。実施の形態３の照明装置１０は、実施の形態２と陽極端子レール１３１ａと陰極端子レール１３１ｂの形状が異なる点で相違する。他の構成については実施の形態２と同様の構成である。
【００６２】
実施の形態３において、陽極端子レール１３１ａは複数の切り込み部１３２を有する。複数の切り込み部１３２は陽極端子レール１３１ａの延在方向とは垂直な方向、すなわち陽極端子１１７ａと挟持部１１９が差し込まれる方向に切り込まれて形成されている。
【００６３】
このような構成において、給電コネクタ１１３を給電レール３に挿し込んだ際には、切り込み１３２によって陽極端子１１７ａが挿入された部分の陽極端子レール１３１ａが外側に向かってやや開き、挟持部１１９はその開いた陽極端子レール１３１ａの両側において陽極端子レール１３１ａを挟持する。
【００６４】
複数の切り込み部１３２は所定の間隔で形成される。陽極端子１１７ａが陽極端子レール１３１ａと接触する面の幅は、複数の切り込み部１３２が形成される間隔の整数倍の幅に形成されることが好ましい。また、発光部１がベース部２に装着される場合に、挟持部１１９と陽極端子１１７ａとの間と切り込み部１３２が対応するように、給電コネクタ１３が給電レール３に対して位置決めされて挿入されることが好ましい。このようにすることで、陽極端子１１７ａと挟持部１１９との間に切り込み部１３２が位置することになり
、陽極端子１１７ａが挿入された部分の陽極端子レール１３１ａのみが外側に向かってやや開き、開いた陽極端子レール１３１ａの両側に位置する挟持部１１９が開いた陽極端子レール１３１ａに隣接する箇所を挟持することができる。
【００６５】
また、ベース部２の長手方向が鉛直方向に配置された場合であっても、陽極端子１１７ａが挿入されることによって開いた陽極端子レール１３１ａの両側に位置する挟持部１１９が、開いた陽極端子レール１３１ａに引っ掛ることによっても、鉛直方向へ発光部１がずれることを防ぐことができる。
【００６６】
実施の形態３において、陽極端子１１７ａは陽極端子レール１３１ａと接触する部分が他の部分よりも厚く構成してもよい。このようにすることで、より陽極端子レール１３１ａの板バネによって挟持する力が大きくなると共に、陽極端子１１７ａの挿入した部分がより広がることで鉛直方向へずれることを効果的に防止することができる。
【００６７】
なお、その他の実施の形態１の照明装置１０の構成を実施の形態３の照明装置１０に適用することによっても実施の形態１と同様の効果を得ることが出来る。
【符号の説明】
【００６８】
１    発光部
２    ベース部
３    給電レール
７    線端子台
８    エンドキャップ
１０    照明装置
１１    発光パネル
１２    装着面
１３    給電コネクタ
１４    被保持部
１４ａ    爪
１５    被係合部
１５ａ    弾性爪
１５ｂ    バネ
１５ｃ    固定台
１６    制御回路部
１７    接続端子
１７ａ    陽極端子
１７ｂ    陰極端子
１９    挟持部
２０    支持部
２１    保持部
２１ａ    凸部
２１ｂ    凹部
２２    係合部
２２ａ    凸部
２２ｂ    凹部
３１ａ    陽極端子レール
３１ｂ    陰極端子レール
３３    カバーレール
１１３    給電コネクタ
１１７    接続端子
１１７ａ    陽極端子
１１７ｂ    陰極端子
１１９    挟持部
１１９ａ    挟持部
１３１ａ    陽極端子レール
１３１ｂ    陰極端子レール
１３２    切り込み部
【図１】
2014056725.tif 000003
【図２】
2014056725.tif 000004
【図３】
2014056725.tif 000005
【図４】
2014056725.tif 000006
【図５】
2014056725.tif 000007
【図６】
2014056725.tif 000008
【図７】
2014056725.tif 000009
【図８】
2014056725.tif 000010
【図９】
2014056725.tif 000011
【図１０】
2014056725.tif 000012
【図１１】
2014056725.tif 000013
【図１２】
2014056725.tif 000014
【図１３】
2014056725.tif 000015